(57)【要約】【課題】異なる構造のセンター役物に対しても容易に対応可能にすることで、汎用性を向上した遊技球位置検出装置を提供する。【解決手段】遊技機には、遊技盤に固定された画像表示装置の前面に、遊技球が入り込んで遊技球誘導装置等により該遊技球が移動される空間がセンター役物によって形成されている。該空間にある遊技球の位置を検出するセンサ装置７５は、中空部分を有する矩形状の基板７２に、多数の発光素子７３及び受光素子７４が配設されて、上記空間内を平面状の走査領域Ｓａにて格子状に走査することで遊技球の位置を検出する。このセンサ装置７５に、上記基板７２と画像表示装置の前面を保護する透明プレート７０との間隔ｄ１を設定自在な間隔設定機構８０を配設することで、センター役物の構造が異なる遊技機であっても、走査領域Ｓａの位置が容易に設定可能となり、センサ装置７５の汎用性として向上する。【選択図】図８
2009201706.tif 000002
【特許請求の範囲】
【請求項１】
中空部分を有する矩形状の基板と、前記中空部分を格子状に走査するために前記基板上に配設された多数のセンサとを備え、遊技盤に固定された表示装置の前面を保護する透明部材の前方に配置され、前記中空部分にある遊技球の位置を検出する遊技球位置検出装置において、
前記基板と前記透明部材との間隔を設定自在な間隔設定機構を備えた、
ことを特徴とする遊技球位置検出装置。
【請求項２】
前記間隔設定機構は、前記基板に設けられた装着部と、前記基板から前記透明部材の方向に突出する長さが予め設定されて該装着部に装着される突出部材と、からなる、
ことを特徴とする請求項１記載の遊技球位置検出装置。
【請求項３】
前記透明部材側が開口されると共に、前記基板及び前記センサを収納するカバー部材を備え、
前記装着部は、内周側に突出した爪部を有すると共に、前記基板に穿設された貫通孔の内周に固着されたリング状部材を有し、
前記突出部材は、前記基板の前方側に突出すると共に前記リング状部材の内径より大径に形成され、前記カバー部材と該基板との間隔を設定する台座部と、該台座部より一体的に延設され、前記リング状部材を貫通して前記基板より前記透明部材側に突出すると共に前記爪部に嵌合する凹部が形成された棒状部と、を有してなる、
ことを特徴とする請求項２記載の遊技球位置検出装置。
【請求項４】
遊技盤と、
該遊技盤に固定された前記表示装置と、
該表示装置を視認可能にする開口部を有すると共に、前記開口部における前記透明部材の前方側に配置された透明な仕切り板を有し、前記透明部材の前方に遊技球が入り込む遊技球移動空間を形成するセンター役物と、
前記遊技球移動空間の遊技球の位置を検出するために、前記透明部材と前記仕切り板との間に配置された前記請求項１ないし３のいずれか記載の遊技球位置検出装置と、を備えた、
ことを特徴とする遊技機。
【発明の詳細な説明】
【技術分野】
【０００１】
本発明は、パチンコ機等に用いられる遊技球の位置を検出する遊技球位置検出装置、及びそれを備えた遊技機に係り、詳しくは、表示装置の前方に形成された遊技球移動空間に入り込んだ遊技球の位置を検出する遊技球位置検出装置、及びそれを備えた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
上記のような従来のパチンコ機において、遊技領域にセンター役物を配置すると共に、当たり発生時に開閉動作して遊技球を入賞させ該入賞数に応じて多量の遊技球を賞球するための大入賞口を、遊技領域とセンター役物とにそれぞれ設け、遊技領域に配置された始動入賞口への入賞を契機とした当たり抽選の当選状況に応じて、センター役物側の大入賞口を開閉動作させて賞球させた際に、該賞球のためのチェック済みの遊技球（いわゆる死に球）を、センター役物内における表示画面の前面に形成した空間で移動させ、該遊技球がＶゾーンに上手く入球した場合、上記当たりを、より出玉の多い当たりへと発展させる構成にしたものが本出願人により考えられている。
【０００６】
ところで、上述した本出願人により考えられているパチンコ機において、上記表示画面の前方の空間内で移動させる遊技球の位置を検出することで、例えば遊技球の位置と連係した画像表示を行う演出等が可能となる。
【０００７】
しかし、センター役物は、遊技機の機種ごとに異なるものが設計されて用いられるため、特に上記空間における遊技球を移動させるための役物構造が異なって、構造上、該空間における遊技球の位置を検出する走査領域が異なるものになってしまうと、その都度、遊技球の位置を検出するセンサ装置の設計をやり直す必要が生じてしまう。また、例えば古くなった遊技機を解体した際にも、高価な部品である位置検出装置を新たな遊技機に再利用するというようなことも困難になる。つまりセンサ装置の汎用性がないと、遊技機のコストダウンや製造工程短縮の妨げとなってしまう。
【０００８】
そこで本発明は、異なる構造のセンター役物に対しても容易に対応することが可能となり、もって汎用性を向上することを可能とする遊技球位置検出装置、及びそれを備えた遊技機を提供することを目的とするものである。
【課題を解決するための手段】
【０００９】
請求項１に係る本発明は（例えば図１乃至図８参照）、中空部分（７２ｅ）を有する矩形状の基板（７２）と、前記中空部分（７２ｅ）を格子状に走査するために前記基板（７２）上に配設された多数のセンサ（７３，７４）とを備え、遊技盤（１０）に固定された表示装置（１２）の前面を保護する透明部材（７０）の前方に配置され、前記中空部分（７２ｅ）にある遊技球（Ｂａ）の位置を検出する遊技球位置検出装置（７５）において、
前記基板（７２）と前記透明部材（７０）との間隔（ｄ１）を設定自在な間隔設定機構（８０）を備えた、
ことを特徴とする遊技球位置検出装置（７５）にある。
【００１０】
請求項２に係る本発明は（例えば図８参照）、前記間隔設定機構（８０）は、前記基板（７２）に設けられた装着部（８１）と、前記基板（７２）から前記透明部材（７０）の方向に突出する長さが予め設定されて該装着部（８１）に装着される突出部材（８２）と、からなる、
ことを特徴とする請求項１記載の遊技球位置検出装置（７５）にある。
【００１１】
請求項３に係る本発明は（例えば図８参照）、前記透明部材（７０）側が開口されると共に、前記基板（７２）及び前記センサ（７３，７４）を収納するカバー部材（７７）を備え、
前記装着部は、内周側に突出した爪部（８１ａ）を有すると共に、前記基板（７２）に穿設された貫通孔（７２ｆ）の内周に固着されたリング状部材（８１）を有し、
前記突出部材（８２）は、前記基板（７２）の前方側に突出すると共に前記リング状部材（８１）の内径より大径に形成され、前記カバー部材（７７）と該基板（７２）との間隔を設定する台座部（８２ａ）と、該台座部（８２ａ）より一体的に延設され、前記リング状部材（８１）を貫通して前記基板（７２）より前記透明部材（７０）側に突出すると共に前記爪部（８１ａ）に嵌合する凹部（８２ｃ）が形成された棒状部（８２ｂ）と、を有してなる、
ことを特徴とする請求項２記載の遊技球位置検出装置（７５）にある。
【００１２】
請求項４に係る本発明は（例えば図１乃至図８参照）、遊技盤（１０）と、
該遊技盤（１０）に固定された前記表示装置（１２）と、
該表示装置（１２）を視認可能にする開口部（１１）を有すると共に、前記開口部（１１）における前記透明部材（７０）の前方側に配置された透明な仕切り板（９）を有し、前記透明部材（７０）の前方に遊技球（Ｂａ）が入り込む遊技球移動空間（Ｍａ）を形成するセンター役物（１００）と、
前記遊技球移動空間（Ｍａ）の遊技球（Ｂａ）の位置を検出するために、前記透明部材（７０）と前記仕切り板（９）との間に配置された前記請求項１ないし３のいずれか記載の遊技球位置検出装置（７５）と、を備えた、
ことを特徴とする遊技機（ＰＭ）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、間隔設定機構が、中空部分を格子状に走査するためのセンサが配設された基板と、遊技盤に固定された表示装置の前面を保護する透明部材との間隔を設定自在にするので、透明部材に対する走査領域の位置、つまり遊技球移動空間における走査領域の位置を設定自在にすることができ、例えば異なる構造のセンター役物に対しても容易に対応することができて、遊技球位置検出装置の汎用性を向上することができる。それにより、遊技機のコストダウン、製造工程の短縮化等を可能にすることができ、また、遊技球位置検出装置の再利用も可能にすることができる。
【００１５】
請求項２に係る本発明によると、間隔設定機構は、基板に設けられた装着部と、基板から透明部材の方向に突出する長さが予め設定されて該装着部に装着される突出部材と、からなるので、突出部材を変更するだけの簡単な作業で、基板と透明部材との間隔を自由に設定することができる。
【００１６】
請求項３に係る本発明によると、突出部材に基板の前方側に突出すると共にリング状部材の内径より大径に形成された台座部を有しているので、該台座部の厚みによって、カバー部材と基板との間隔を設定することができる。また、突出部材にリング状部材を貫通して基板より透明部材側に突出すると共に該リング状部材の爪部に嵌合する凹部が形成された棒状部を有しているので、棒状部がリング状部材に嵌合することにより、突出部材を基板に対して位置決め固定することができる。
【００１７】
請求項４に係る本発明によると、遊技機が、汎用性が向上された遊技球位置検出装置を備えているので、遊技機のコストダウン、製造工程の短縮化等を可能にすることができ、また、遊技球位置検出装置の再利用も可能にすることができる。
【発明を実施するための最良の形態】
【００１８】
以下、本発明に係る遊技機の実施形態として、遊技場等に設置されるパチンコ機ＰＭを図面に沿って説明する。図１はパチンコ機ＰＭの外部構造を示す正面図、図２はパチンコ機ＰＭの背面構造を示す背面図である。
【００１９】
パチンコ機（遊技機）ＰＭは、図１に示すように、外郭方形枠サイズに構成されて縦向きの固定保持枠をなす外枠１の開口前面に、これに合わせた方形枠サイズに構成される開閉搭載用の前枠２の左側上下部に対向するように配設されたヒンジ部材３ａ，３ｂで横開き開閉及び着脱が可能に取り付けられ、右側中央部に設けられた施錠装置４を利用して常には外枠１と係合された閉鎖状態に保持される。
【００２０】
前枠２の各部には、パチンコ遊技を展開する遊技展開部材として、前枠２の前側面域に合わせた方形状のガラス扉５及び球皿６が正面左側部に設けられたヒンジ機構７ａ，７ｂ，７ｃを利用して横開き開閉及び着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０正面の遊技領域ＰＡを臨ませている。
【００２１】
遊技盤１０の遊技領域ＰＡには、図示しない障害釘が多数打ち込まれており、遊技領域ＰＡの中央部近傍には、センター飾り（センター役物）１００が配設されている。このセンター飾り１００の中央部には矩形状の開口部１１が形成されており、該開口部１１の図の手前側には透明仕切りプレート（仕切り板）９が設けられ、該透明仕切りプレート９と対向する該開口部１１の奥側には、遊技に関する演出表示を行う画像表示装置（表示装置）１２が設けられている。この画像表示装置１２の前面には、該画像表示装置１２を保護するための詳しくは後述する透明プレート（透明部材）７０が固着されており、該透明プレート７０と上記透明仕切りプレート９との間は、略々平面状からなり、遊技球が入り込んで移動し得る遊技球移動空間（以下、単に「空間」という）Ｍａ（図７参照）が形成されている。
【００２２】
遊技領域ＰＡの下部には、始動入賞装置（始動入賞口）１３，１７が順次配設されている。始動入賞装置１３，１７は、それぞれ当たり抽選実行の契機となり得る入賞が行われるものであり、始動入賞装置１７は、不図示のソレノイドによって開放位置と閉止位置とに開閉動作するように作動させられる所謂チューリップ状に構成されている。始動入賞装置１３は、開閉作動式ではない非作動な入賞口として構成されている。始動入賞装置１７は、その直上方に位置する始動入賞装置１３の存在により、開放時にのみ入賞し得るように構成される。始動入賞装置１３の直上方には、所謂命釘としての一対の障害釘が打ち込まれている。該一対の障害釘の間を遊技球が通過すると、該遊技球は、始動入賞装置１３内に設けられた入賞検出センサ２３（図３参照）で検出された後、遊技盤１０の裏面側へ排出される。また始動入賞装置１７は、遊技球が入ると、該遊技球は、始動入賞装置１７内に設けられた入賞検出センサ２１（図３参照）で検出された後、遊技盤１０の裏面側へ排出される。
【００２３】
始動入賞装置１７の下方には、第１大入賞口１６ａを開閉可能な第１大入賞装置１６が設けられる。該第１大入賞装置１６は、大当たり遊技等の通常遊技よりも遊技者に有利となる特別遊技の実行中に、第１大入賞口ソレノイド２６（図３参照）によって第１大入賞口１６ａを開放し、遊技球を該第１大入賞口１６ａに対して通過容易にする。
【００２４】
第１大入賞口１６ａは、遊技領域ＰＡの下部に設けられた矩形形状の入賞口であり、閉鎖状態にあるときには、遊技球は第１大入賞口１６ａを通過することができず、開放状態になったときに、遊技球が第１大入賞口１６ａを通過することが可能となる。遊技球が、第１大入賞口１６ａを通過すると、第１大入賞装置１６内に設けられた入賞検出センサ２７（図３参照）によって検出された後、遊技盤１０の裏面側へ排出される。
【００２５】
遊技領域ＰＡにおける始動入賞装置１３，１７の左方には、普通図柄作動ゲート１５が配設されており、該普通図柄作動ゲート１５は、いわゆるチューリップ状の始動入賞装置１７を開閉動作させるための抽選の契機となる遊技球の通過が行われるものである。
【００２６】
また、遊技領域ＰＡの左下部には、普通入賞口１８ａを有する複数の普通入賞装置１８が設けられ、流下してくる遊技球が普通入賞口１８ａを通過すると、普通入賞装置１８内に設けられた入賞検出センサ（図示せず）で検出された後、遊技盤１０の裏面側へ排出される。また、遊技領域ＰＡの下端には、遊技領域ＰＡに打ち出された後、いずれの入賞装置にも入賞せずに落下してきた遊技球を遊技盤１０の裏面側へ排出させるアウト口１９が設けられている。なお、上述の入賞検出センサ２１，２３、入賞検出センサ２７、及び入賞検出センサ（図示せず）は、いずれも近接センサ等で構成されている。
【００２７】
球皿６に前面側が覆われた前枠２の下部領域には、遊技補助盤（図示せず）と称される補助機構部が形成されており、この遊技補助盤の各部には、打球発射装置（図示せず）や、裏セット盤３０側の賞球排出通路３５と連絡され、球皿６に排出できない遊技球を一時貯留する貯留カセット（図示せず）などが設けられている。なお、図１中の符号７９は、操作ハンドル８の操作で打ち出された遊技球Ｂａを遊技領域ＰＡに案内する案内レールである。
【００２８】
前枠２の裏面側には、図２に示すように、中央に前後連通する窓口を有して前枠２よりもやや小型の方形枠状に形成された裏セット盤３０が、前枠２の裏面に設けられた複数のレバーＬ，Ｌ…を利用して着脱可能にセット保持されている。裏セット盤３０の各部には、遊技球を貯留する球貯留タンク３１、タンクレール３２、整列待機通路３３、賞球カセット３４、賞球排出通路３５などの賞球装置が装備されると共に、裏面各部に電源基板４０や主制御基板５０等の各種制御基板及び電子部品等が取り付けられ、これらの各機器及び遊技盤１０の裏面に取り付けられた副制御基板６０が、不図示のワイヤーハーネスで接続されている。
【００２９】
次に、上記したセンター飾り１００について図４及び図５を参照して説明する。なお、図４はセンター飾り１００の全体を示す正面図、図５はセンター飾り１００の前枠部１００ａを取り外した状態で示す正面図である。
【００３０】
すなわち、図４に示すように、センター飾り１００は、略矩形状の開口部１１を中央部に形成する状態で前後方向から合わされた前枠部１００ａ及び後枠部１００ｂを有している。これら前枠部１００ａと後枠部１００ｂとは、遊技盤１０の中央部に埋め込れた状態でネジ止め固定されている。
【００３１】
センター飾り１００は、前枠部１００ａの左側部の中央近傍にワープ導入口４２を有しており、該ワープ導入口４２及びステージＳにて囲まれるような位置に、画像表示装置１２の表示面１２ａを露出する開口部１１を有している。更に、センター飾り１００は、開口部１１の下部に上記ステージＳを有し、該ステージＳの左端には、ワープ導入口４２に連通して該導入口４２から導入した遊技球をステージＳ上に放出する放出口４３を有している。これらワープ導入口４２と放出口４３との間には、該導入口４２から導入した遊技球Ｂａを放出口４３に案内する案内流路が内部に設けられている。
【００３２】
ステージＳは、左右幅方向の両端側から中央に向けて下降するように傾斜され、かつその前側に、遊技球の転動移動を補助する壁部２９が形成されている。ステージＳの上下方向における最も低い部位の壁部２９には、溝状の凹部２９ａ，２９ｂが設けられ、該凹部２９ａ，２９ｂは前面側（図４の紙面手前側）に向かって下降するように傾斜して形成されている。そして、ワープ導入口４２から入球して放出口４３からステージＳ上に放出された遊技球は、該ステージＳ上に停留するように左右へ転動するなどした後、ステージＳの中央の凹部２９ａから落下すると、直下の始動入賞装置１３に高い確率で入賞する。一方、凹部２９ａの左右の凹部２９ｂから落下した場合は、始動入賞装置１３とは異なる方向に向かうことが多い。
【００３３】
透明仕切りプレート９の裏側における空間Ｍａ（図７参照）にあってステージＳの直上方の奥側には、画像表示装置１２前面の左右幅方向に延在する波形状の遊技球誘導装置（役物部材）４７が設けられている。遊技球誘導装置４７は、正面視手前側に位置する波形誘導板部４７ａと、奥側に位置する波形誘導板部４７ｂとを有している。波形誘導板部４７ａは図示の状態で固定されており、波形誘導板部４７ｂが該波形誘導板部４７ａに対して上下するように作動することで、上部に乗った遊技球を図４の右方へ送るように構成されている。
【００３４】
図５に示すように、遊技球誘導装置４７の正面視右端部には、遊技球を入球させ得る入球口６１ａ，６１ｂ，６１ｃ，６１ｄ，６１ｅ，６１ｆ，６１ｇ，６１ｈが円周方向にて等角度間隔となるように形成された円盤状の回転体６１が、回転軸５９を中心に回転自在に配設されている。上記入球口６１ａ〜６１ｈのうち、入球口６１ａ、及び回転軸５９を挟んで反対側に位置する入球口６１ｅはＶ入球口として構成されており、それぞれに遊技球検知センサ６５（図３参照）が設けられている。入球口６１ａ，６１ｅ以外の入球口に入球した遊技球は、遊技盤１０の背面側へと排出される。また、Ｖ入球口である入球口６１ａ，６１ｅ、及び、他の入球口６１ｂ，６１ｃ，６１ｄ，６１ｆ，６１ｇ，６１ｈに入球した遊技球は、上記遊技球検知センサ６５で検知された後、遊技盤１０の背面側へと排出される。
【００３５】
図４及び図５に示すように、開口部１１の左右には落下演出装置４４，４５がそれぞれ配置されており、透明仕切りプレート９の裏面側における空間Ｍａの上部には、中央部の回動軸３０を中心として該回動軸３０の左右部分がシーソーのように上下にゆっくりと回動する振分けプレート（役物部材）４１が配置されている。振分けプレート４１は、落下演出装置４４から落下演出装置４５に亘って延在するように長尺に形成されると共に、回動軸３０を曲率中心とする円弧状に透明仕切りプレート９に貫通形成された円弧溝３６，３７に摺動自在に支持されている。該支持された部分における透明仕切りプレート９の前側には、振分けプレート４１に連結されて該プレート４１とともに動く矢印部材３８，３９が装着されている。
【００３６】
また、センター飾り１００の前枠部１００ａにおける左上部には、遊技の進行状況に応じて開放して遊技球Ｂａを入賞させ得る第２大入賞口（大入賞口）１４が配設されている。そして、空間Ｍａにおける回動軸３０の左上部には、上記第２大入賞口１４に入賞した遊技球Ｂａを振分けプレート４１に向けて落下させる落下口４６が設けられている。振分けプレート４１は、回動軸３０を中心に不図示のモータによって時計回り方向と反時計回り方向とに規則的に回動され、落下口４６から、透明仕切りプレート９の該落下口４６に対向する位置に形成された貫通穴（図示せず）を通して送り込まれる遊技球Ｂａを受けて、表示面１２ａの左右いずれかに案内する。空間Ｍａの下側には、遊技球誘導装置４７の波形誘導板部４７ｂを上下方向に規則的に移動させる駆動装置６４が配設されている。上記振分けプレート４１は、上面が、後方の透明プレート７０に対して遊技球Ｂａを常時押しつけ得る傾斜面として構成されている（図７参照）。
【００３７】
落下演出装置４４は、上下方向に延びる螺旋部材６２を内包する略円筒状に構成されており、振分けプレート４１が左側に傾いた状態で落下口４６から遊技球を受けた際、該振分けプレート４１の傾斜に沿って転がり移動する該遊技球を導入口４４ｂから導入して螺旋部材６２に沿って下方に移動させ、遊技球誘導装置４７の左端部に放出する。この際、波形誘導板部４７ｂが波形誘導板部４７ａに対して下降したタイミングで放出された遊技球は、遊技球誘導装置４７に乗って回転体６１に向けて運ばれる。その際、遊技球誘導装置４７では、遊技球Ｂａが前側（図７の右側）に向いた部位を波形誘導板部４７ｂ上端の傾斜面に沿わせつつ奥側（図７の左側）に向いた部位を透明プレート７０に当接させた状態で、波形誘導板部４７ｂが、図７に示す実線位置と二点鎖線位置との間をゆっくりと昇降移動する。
【００３８】
これにより、遊技球Ｂａは、波形誘導板部４７ｂの実線位置では、下降側に退避した波形誘導板部４７ｂの傾斜面から離れて波形誘導板部４７ａ側に乗り、該波形誘導板部４７ａの波形状に沿って次の波形状の部分に転がり移動した後、再び上昇する波形誘導板部４７ｂで押し上げられることで、更に次の波形状の部分に転がり移動する。この動作が繰り返されることで、遊技球Ｂａは回転体６１側に移動させられ（図４参照）、図４における回転体６１の手前側に配置された振分け部４８によって振り分けられる。その際、振分け部４８を通過できた場合には、遊技球Ｂａは入球口６１ａ〜６１ｈのいずれかに入球することになり、振分け部４８を通過できなかった場合には、遊技球Ｂａは、不図示の開口側に落下して遊技盤１０の背面側へと排出される。一方、波形誘導板部４７ｂが波形誘導板部４７ａに対して上昇したタイミングで放出された遊技球は、落下演出装置４４の下部から遊技球誘導装置４７側に若干突出した後、遊技球誘導装置４７に乗ることができずに不図示の開口部（例えば遊技球誘導装置４７の図中左側）に落下し、遊技盤１０の背面側へと排出される。
【００３９】
落下演出装置４５は、上下方向に延びる螺旋部材６３を内包する略円筒状に構成されており、振分けプレート４１が右側に傾いた状態で落下口４６から遊技球を受けた際、該振分けプレート４１の傾斜に沿って転がり移動する該遊技球を導入口４５ｃから導入して螺旋部材６３に沿って下方に移動させ、下部の放出口４５ｂから回転体６１に向けて放出する。この際、時計回り方向に回転する回転体６１の入球口６１ａ，６１ｅのいずれかが放出口４５ｂに接近するタイミングで放出された遊技球は、Ｖ入球口である入球口６１ａ又は６１ｅに入球し得るが、それ以外のタイミングで放出されれば、入球口６１ａ，６１ｅには入球せずに、他の入球口６１ｂ，６１ｃ，６１ｄ，６１ｆ，６１ｇ，６１ｈのいずれかから、遊技盤１０の背面側へと排出されることになる。
【００４０】
ついで、図６及び図７を参照して、センター飾り１００に搭載された遊技球連動演出装置７６について説明する。なお、図６はセンター飾り１００に配置された遊技球連動演出装置を分解して示す概略図、図７は図６のＡ−Ａ矢視断面図である。
【００４１】
すなわち、センター飾り１００には、開口部１１から表示面１２ａを露出させるように画像表示装置１２が配置されており、図６及び図７に示すように、該画像表示装置１２の前面側には、表示面１２ａと平行となるように対向配置されて固定された（互いに貼り合わされていてもよい）透明プレート７０が配置され、該透明プレート７０の前方（図７の右方）には、詳しくは後述する中空矩形状のセンサ装置（遊技球位置検出装置）７５と、アクリル樹脂からなる透明仕切りプレート９とが配置されている。これにより、画像表示装置１２の表示面１２ａは、透明プレート７０、センサ装置７５の中空部分、透明仕切りプレート９、及びガラス扉５のガラスを通して外部（例えば図１の紙面手前側）から視認可能になっている。これら画像表示装置１２、透明プレート７０、センサ装置７５、及び透明仕切りプレート９は、層状の配置関係を保持した状態で、センター飾り１００にネジ止めされて組み付けられ、遊技球連動演出装置７６を構成している。
【００４２】
画像表示装置１２は、例えば１７インチワイドサイズの液晶ディスプレイで構成可能であり、例えば表示面１２ａの辺縁部分（上端もしくは左右端のいずれかの部分）には、後述する抽選手段２１２による抽選（以下、第１の抽選と称する）の結果に基づいて特別図柄（図示せず）を変動表示する特別図柄表示部が設けられると共に、特別図柄と連動して装飾図柄（図示せず）をその特別図柄表示部以外の表示面１２ａに変動表示するように構成される。特別図柄は、始動入賞装置１３への遊技球の入賞を契機として行われる第１の抽選の結果に基づいて表示される図柄であり、大当たりを発生させるか否かを示す役割を持つ。また、装飾図柄は、特別図柄で示される第１の抽選の結果表示を視覚的に演出するための図柄であり、例えば、左右方向での複数列の変動図柄として表示面１２ａに表示される。
【００４３】
透明プレート７０は、アクリル樹脂等の透明部材からなり枠状に形成された固定枠７０Ｂと、該固定枠７０Ｂに嵌め込まれて接着されたガラス板７０Ａとにより構成されており、これらで一体の一枚板を構成し、空間Ｍａに入り込んだ遊技球の衝突から画像表示装置１２の表示面１２ａを保護する役目を有している。
【００４４】
一方、センサ装置７５と透明仕切りプレート９との間には、上述した振分けプレート４１及び遊技球誘導装置４７が配置されている。遊技球誘導装置４７は、透明仕切りプレート９の背面に近接して固定された波形誘導板部４７ａと、該波形誘導板部４７ａとセンサ基板７２との間で連続的に昇降動作する波形誘導板部４７ｂとを有しており、該波形誘導板部４７ｂは、上端部が、後方の透明プレート７０に対して遊技球Ｂａを常時押しつけ得る傾斜面として構成される。
【００４５】
本発明の要部となるセンサ装置７５は、中空矩形状であって開口（中空部分）７２ｅを有するセンサ基板７２と、該センサ基板７２に実装された発光素子（センサ）７３及び受光素子（センサ）７４とを有している。上記発光素子７３は、赤外線発光ダイオード（赤外線ＬＥＤ）等から構成され、上記受光素子７４は、フォトトランジスタやフォトダイオード等から構成される。また、センサ装置７５には、上記センサ基板７２、発光素子７３、及び受光素子７４を遊技球の衝突や異物から保護するために、透明プレート７０側が開口されると共に該センサ基板７２を収納するセンサカバー（カバー部材）７７が配設されている。該センサカバー７７も、アクリル樹脂等の透明部材からなり、発光素子７３及び受光素子７４のスキャン（走査）に影響が生じないように構成されている。
【００４６】
センサ基板７２は、上辺７２ａ、左辺７２ｂ、右辺７２ｃ、下辺７２ｄで囲まれる開口７２ｅが形成されており、波形誘導板部４７ｂの上端部に乗った遊技球Ｂａは、該開口７２ｅを通って透明プレート７０に接触した状態でセンサ装置７５による格子状のスキャンラインＳＬを介して検出される。センサ基板７２において、上辺７２ａ及び左辺７２ｂ側には、複数の発光素子７３が一定間隔でそれぞれに配設されており、右辺７２ｃ及び下辺７２ｄ側には、複数の受光素子７４が一定間隔でかつ発光素子７３の対をなすものと対向して配設されている。縦横方向（行列方向）でのスキャンライン間隔は、例えば５ｍｍ程度に設定されることが好ましい。なお、透明プレート７０と透明仕切りプレート９間の隙間は、振分けプレート４１や遊技球誘導装置４７により遊技球を移動させ得る移動領域を構成している。
【００４７】
各発光素子７３から照射される照射光によるスキャンラインＳＬは、上辺７２ａ及び左辺７２ｂを直交する２次元の座標軸となり、遊技球Ｂａの移動路となる開口７２ｅ内の領域に、全体として縦横の格子状となるように張り巡らされる。従って、遊技球Ｂａが落下口４６から落下する際には、該遊技球Ｂａは、上述のような格子状に張り巡らされたスキャンラインＳＬを遮蔽しながら転動することとなる。センサ装置７５は、それぞれ直交する格子状のスキャンラインＳＬが遮蔽された際の位置を検出する、いわゆる光遮断方式のセンサからなる。
【００４８】
また、透明プレート７０と透明仕切りプレート９とは、例えば直径１１［ｍｍ］の遊技球Ｂａが移動可能となる程度（例えば１２［ｍｍ］）の間隔を空けるように配置されており、落下口４６から導入された遊技球Ｂａは、透明プレート７０と透明仕切りプレート９間を、振分けプレート４１や遊技球誘導装置４７に当接し転がりながら移動する。このため、落下口４６から落下した遊技球Ｂａは、透明プレート７０、透明仕切りプレート９、振分けプレート４１、波形誘導板部４７ｂに対して当接しながらも、透明プレート７０に寄りかかった状態で円滑に転動する。そして、遊技球Ｂａは、透明プレート７０に接しながら転動することで、センサ装置７５による照射光を確実に遮蔽し得るので、センサ装置７５により高精度で検出されることになる。
【００４９】
ところで、本実施の形態におけるセンサ装置７５は、図７に示すように、センサ基板７２がセンサカバー７７に収納されて保護されているが、製造工程において、センサ基板７２をセンサカバー７７により収納した後、即ちセンサ装置７５の完成品における初期動作確認（動作設定）を行おうとすると、外部から発光素子７３や受光素子７４に触れることができず、万が一、角度等の微調整が必要になった場合には、センサカバー７７を取り外す必要が生じてしまう。そこで、例えば透明プレート７０（アクリル樹脂等からなる固定枠７０Ｂ）又はセンサカバー７７に、上辺７２ａ、左辺７２ｂ、右辺７２ｃ、下辺７２ｄ（図６参照）に沿って長穴を形成しておき、調整用冶具（或いは検査用の棒等）を発光素子７３や受光素子７４まで前面側又は背面側から挿入できるように構成しておくことも考えられる。特にそれら長穴を透明プレート７０に形成した場合は、それら長穴が遊技機の組立時に画像表示装置１２の表示面１２ａによって閉塞されるため、異物等の進入防止も図ることができる。
【００５０】
ついで、本発明に係るアジャスタ（間隔設定機構）８０について図６を参照しつつ図８に沿って説明する。図８はセンサ装置及び間隔設定機構を示す図で、（ａ）はセンサ装置の一部拡大断面図、（ｂ）は間隔設定機構の一部拡大断面図である。
【００５１】
本発明に係るアジャスタ８０は、図６に示すように、センサ基板７２にあって、例えば上辺７２ａ及び下辺７２ｄにそれぞれ３箇所、左辺７２ｂ及び右辺７２ｃにそれぞれ２箇所、の計１０箇所に備えられており、それらの各アジャスタ８０は、センサ基板７２における発光素子７３又は受光素子７４の外周側の位置、即ち開口７２ｅのスキャンに影響しない位置に設けられている。
【００５２】
上記アジャスタ８０は、図８（ａ）及び図８（ｂ）に示すように、内歯付ワッシャ（装着部、リング状部材）８１とピン状部材（突出部材）８２とからなり、該内歯付ワッシャ８１は、リング状からなって、外径部分がセンサ基板７２に穿設された貫通孔７２ｆの内周部分に固着されていると共に、内径部分から内周側に突出した複数の爪部８１ａを有している。一方のピン状部材８２は、ピン状からなって、台座部８２ａと棒状部８２ｂとから構成されており、該台座部８２ａは、少なくとも内歯付ワッシャ８１の内径よりも大きな径で形成されて該内歯付ワッシャ８１に当接するように構成されている。また、棒状部８２ｂは、台座部８２ａから一体的に延設された棒状からなり、付根部分に凹部８２ｃが形成されて上記内歯付ワッシャ８１の爪部８１ａに着脱可能に嵌合するように構成されている。
【００５３】
このように構成されたアジャスタ８０は、図８（ａ）に示すように、センサ基板７２に固着された内歯付ワッシャ８１にピン状部材８２を嵌挿して装着することで、棒状部８２ｂがセンサ基板７２より透明プレート７０側に突出し、その先端が該透明プレート７０（固定枠７０Ｂ）に当接する。即ち、ピン状部材８２の棒状部８２ｂの長さによってセンサ基板７２と透明プレート７０との間隔ｄ１が設定される。従って、各箇所にあるピン状部材８２を交換するだけで、透明プレート７０に対するスキャンラインＳＬの位置、より正確には、ある程度の幅を有するスキャン領域Ｓａの位置を、例えば空間Ｍａ内において自由に設定することができる。
【００５４】
本実施の形態にあっては、振分けプレート４１や遊技球誘導装置４７が、遊技球Ｂａが透明プレート７０に接しながら転動するように構成しているので、特に透明プレート７０に近い位置にスキャン領域Ｓａが設定されるように上記間隔ｄ１が設定されており、ピン状部材８２の棒状部８２ｂの長さは、その間隔ｄ１に応じて突出する長さに設計されている。一方、例えば本遊技機ＰＭのように遊技球Ｂａを透明プレート７０側に付勢するような構成ではなく、透明仕切りプレート９側に遊技球Ｂａを付勢するような役物等を有する遊技機である場合は、ピン状部材８２の棒状部８２ｂの長さを本実施の形態よりも長いものに交換するだけである。このように、ピン状部材８２を交換するだけで、様々な構造の遊技機、特に空間Ｍａ内の役物等の構成が異なる遊技機に容易に対応可能となって、センサ基板７２を新たに設計し直す必要性を少なくし、コストダウンや製造工程の短縮化が図れて、つまり汎用性の向上が実現する。また、ピン状部材８２の台座部８２ａの厚みを設定することによって、センサ基板７２とセンサカバー７７との間隔ｄ２も設定することが可能である。勿論、センサカバー７７は、使用するピン状部材８２の台座部８２ａの厚み、棒状部８２ｂの長さに応じて、その形状を変更することが好ましい。
【００５５】
また特に、ピン状部材８２は、内歯付ワッシャ８１に対して着脱自在に構成されているため、例えば本遊技機ＰＭを解体して廃棄する場合にあっても、発光素子７３及び受光素子７４も含む高価なセンサ基板７２は、ピン状部材８２を新たな遊技機に合わせて設計したものに交換するだけで、新たな遊技機にあっても透明プレートとセンサ基板７２との間隔が容易に設定できて、直ぐに対応可能であり、つまり容易に再利用が可能となる。
【００５６】
なお、本実施の形態においては、画像表示装置１２の表示面１２ａを透明プレート７０によって保護するものを説明しているが、例えば遊技球Ｂａを透明仕切りプレート９側に付勢する遊技機等、特に該表示面１２ａを保護する必要がないものにあっては、透明プレート７０を設ける必要はない。その場合、本アジャスタ８０は、画像表示装置１２とセンサ基板７２との間隔を設定するものとなり、言い換えると、画像表示装置１２の表示面１２ａ自体がセンサ基板７２の間隔が設定される透明部材に相当することになる。
【００５７】
ところで、画像表示装置１２には、前述した第１の抽選における特別図柄及び装飾図柄が表示される以外に、第２大入賞口（大入賞口）１４に遊技球が入賞したことを契機として表示される図柄がある。この図柄は、図４に示すように、遊技球誘導装置４７によって回転体６１側に移動する遊技球Ｂａに追随して移動する人物状の図柄（画像）７８である。つまり、画像表示装置１２、透明プレート７０、透明仕切りプレート９は、前述のように層状に配置されるため、表示面１２ａ上の図柄７８と、遊技球誘導装置４７上を移動する遊技球Ｂａとは、遊技者から見た場合に、前後に重なるような位置関係となり、従って、図柄７８と遊技球Ｂａとはその動作において連係性を生じるものとなる。
【００５８】
なお、本実施の形態では、センサ基板７２を１枚の基板で構成したものを説明したが、該基板を例えば４分割、６分割、８分割など、ブロックに分けて構成してもよく、その場合は、本アジャスタ８０によって透明プレート７０に対する各ブロックの間隔ｄ１を別々に設定することも考えられる。このようにブロックごとにスキャン領域の位置を別々に設定することで、空間Ｍａ内の遊技球Ｂａの移動を役物等の構成によって立体的（前後移動可能）にすることもでき、かつ前後に対応するスキャン領域でその遊技球Ｂａの位置を検出することができ、その立体的位置の検出を上述のような連携した図柄に反映させることで、遊技機としての趣向を増すことが可能となる。
【００５９】
続いて、パチンコ機ＰＭに設けられる遊技制御装置２００について図３を参照して説明する。ここで、図３は遊技制御装置２００の概要を示すブロック図である。この遊技制御装置２００は、図２で説明した主制御基板５０や副制御基板６０等から構成される（図３においては不図示）。
【００６０】
遊技制御装置２００には、始動入賞装置１３、始動入賞装置１７、普通図柄作動ゲート１５、第１大入賞装置１６、第２大入賞装置２８、画像表示装置１２、センサ装置７５等が電気的に接続されて、各種検出信号及び制御信号の送受信が行われるようになっている。なお、上記第２大入賞装置２８は、前述した第２大入賞口１４と回転体６１とで構成された特別遊技に係る装置である。
【００６１】
また、遊技制御装置２００は、各入賞装置への入球（入賞）を判定する入球判定手段２１０と、始動入賞装置１３への遊技球の入賞に基づき特別図柄抽選（第１の抽選）を実行する抽選手段２１２と、特別図柄や装飾図柄の変動表示パターンを保持するパターン記憶手段２１６と、図柄変動における停止図柄及び変動表示の表示パターンを決定する図柄決定手段２２０と、図柄等の表示を制御する表示制御手段２３０と、大当たり遊技等の通常遊技よりも遊技者に有利な特別遊技を制御する特別遊技制御手段２４０と、確率変動遊技等の通常遊技よりも遊技者に有利な特定遊技を制御する特定遊技制御手段２６０と、第１大入賞装置１６や第２大入賞装置２８等の開閉制御を行う開閉制御手段２７０と、不図示のＲＡＭからなる記憶手段２７１とを備えて構成される。
【００６２】
始動入賞装置１３の入賞検出センサ２３は、始動入賞装置１３への遊技球の入球（入賞）を検出し、第１始動入賞情報を出力する。入球判定手段２１０は、第１始動入賞情報を受信すると、遊技球が始動入賞装置１３に入球したことを判定する。始動入賞装置１３への入球が判定されると、抽選手段２１２は、保留球数が上限に達しているか否かを調べる。例えば、保留球数の上限は４つに設定されている。保留球数が上限に達していない場合、入球判定手段２１０が第１始動入賞情報を受信したタイミングで、抽選手段２１２は、始動入賞装置１３，１７それぞれで始動入賞に対する乱数を取得する。なお、抽選手段２１２は、数学的に乱数を生成して取得してもよく、また図示しないカウンタにより生成されるカウント値を乱数として取得してもよい。このようにして取得した乱数に基づいて、抽選手段２１２は特別図柄抽選（第１の抽選）の当否を判定する。なお、抽選の当否判定は、乱数の取得と同時に行われてもよく、また、特別図柄の変動を開始する直前に行われてもよく、所定の抽選ソフトウエアを利用して行われる。抽選乱数が当たりであった場合、抽選手段２１２は確率変動付きの当たりであるか否かを決定する。なお、本実施の形態では、始動入賞装置１３，１７での各入賞を契機とした抽選を上記抽選手段２１２で実行する構成としているが、これに限らず、始動入賞装置１３，１７にそれぞれ対応する別々の抽選手段として構成しても良いことは勿論である。
【００６３】
図柄決定手段２２０における特別図柄決定手段２２２及び装飾図柄決定手段２２４は、抽選手段２１２による判定結果に応じた停止図柄と、図柄変動の表示パターンとを決定する。停止図柄は、図柄変動の終了時に表示する図柄である。パターン記憶手段２１６は、特別図柄や装飾図柄を変動表示させるときの表示パターンとして複数種のパターンを保持する。表示パターンには、通常の外れ図柄を表示するときのパターンと、予め定めた不規則な図柄を表示するときのパターン（小当たり）と、リーチ状態を経て大当たり図柄を表示するときのパターンとが含まれる。また、リーチ状態を経るときのパターンとして、長短様々な表示時間をもつパターンが含まれる。各表示パターンは、その図柄変動の終了条件として表示時間がそれぞれ定められており、その表示時間が経過すると、図柄変動が停止される。
【００６４】
普通図柄抽選手段２１３は、始動入賞装置１７を開閉動作させるか否かの普通図柄抽選を、この普通図柄抽選の保留球数（例えば４個）の範囲内で、普通図柄作動ゲート１５への入球を通過検出センサ２５が検出したことを契機として実行する。
【００６５】
特別図柄決定手段２２２は、抽選手段２１２による抽選結果に応じてパターン記憶手段２１６からいずれかのパターンを選択し、抽選結果に応じた特別図柄の停止図柄を決定する。装飾図柄決定手段２２４は、特別図柄決定手段２２２により選択された表示パターンに応じたパターンをパターン記憶手段２１６から選択し、抽選結果に応じた特別図柄の停止図柄を決定する。
【００６６】
表示制御手段２３０は、特別図柄、装飾図柄、及び図柄７８を変動表示させる表示制御実行手段２３１と、図柄７８が表示される座標位置を検出する表示位置検出手段２３３とを有して構成される。
【００６７】
表示制御実行手段２３１は、特別図柄決定手段２２２において決定された変動パターン及び停止図柄をもとに、画像表示装置１２の特別図柄表示部に特別図柄を表示させる。また同時に、表示制御実行手段２３１は、装飾図柄決定手段２２４において決定された変動パターン及び停止図柄をもとに、画像表示装置１２に装飾図柄を表示させる。表示制御実行手段２３１により特別図柄を表示させる機能は主制御基板５０側の処理として実行され、装飾図柄及び図柄７８を表示させる機能は副制御基板６０側の処理として実行される。
【００６８】
表示位置検出手段２３３は、透明プレート７０と透明仕切りプレート９との間の空間Ｍａを移動する遊技球の位置をセンサ装置７５によって検出させ、その旨の信号を第１特別遊技実行手段２４９に送信すると共に、記憶手段２７１に記憶する。
【００６９】
特別遊技制御手段２４０は、条件保持手段２４２、条件判定手段２４６、特別遊技実行手段２４８、及び作動回避手段２５２を有しており、２種類の特別遊技を選択的に実行することができる。
【００７０】
条件保持手段２４２は、特別遊技の作動条件を保持する。条件保持手段２４２は、特別遊技を実行するための条件である作動条件（後述する第１及び第２作動条件）を保持している。本実施形態において作動条件は、表示制御実行手段２３１により変動表示される特別図柄が所定の図柄で停止されたことを契機として設定される。
【００７１】
第１条件保持手段２４３は、第１の特別遊技を実行するための条件である第１作動条件を保持している。本実施形態において第１作動条件は、表示制御実行手段２３１により変動表示される特別図柄が所定の図柄で停止されたことを契機として設定される。ここで、上記所定の図柄とは、大当たりの場合には例えば「７７７」などの同じ数字が連続したものであり、小当たりの場合には例えば「７７６」などの予め決められたランダムな組み合わせである。また、第２条件保持手段２４４は、第２の特別遊技を実行するための条件である第２作動条件を保持している。本実施形態において第２作動条件は、回転体６１のＶ入球口である入球口６１ａ，６１ｅへの入球を契機として設定される。
【００７２】
条件判定手段２４６は、遊技情報を監視し、特別遊技への移行条件である各作動条件の成立の可否を判定する。また、条件判定手段２４６は、各作動条件の判定結果をもとに、各種作動フラグのオンまたはオフの設定を行う。
【００７３】
特別遊技実行手段２４８は、第１特別遊技実行手段２４９及び第２特別遊技実行手段２５０を有しており、所定の作動条件が成立したことに基づいて特別遊技を実行する。
【００７４】
第１特別遊技実行手段２４９は、第１作動条件が成立すると、第１の特別遊技を実行する。ここで、第１の特別遊技が、大当たりを契機として開始された場合には、第１大入賞装置１６による第１大入賞口１６ａの開閉動作が複数回にわたって継続される遊技となる。また、第１の特別遊技が、小当たりを契機として開始された場合には、第２大入賞装置２８による第２大入賞口１４が所定時間だけ開放される動作が複数回にわたって継続される遊技となる。ここで、上記第２大入賞口１４から遊技球誘導装置４７上に遊技球が入球された場合には、第１特別遊技実行手段２４９は、表示位置検出手段２３３から送信された遊技球の位置に基づき、図柄７８を画像表示装置１２に表示させるよう表示制御手段２３０に信号を送信する。上記したような第１の特別遊技に移行すると、遊技者は、特別遊技が行われていることを容易に認識することができると共に、相当数の賞球を期待することができる。
【００７５】
そして、上記大当たりでの第１の特別遊技の場合には、第１特別遊技実行手段２４９は、開閉制御手段２７０に第１大入賞口１６ａの開閉制御を行わせる。このとき、開閉制御手段２７０は、第１大入賞装置１６の第１大入賞口ソレノイド２６に開放作動信号（もしくは、閉鎖作動信号）を出力し、第１大入賞口１６ａを開放（もしくは、閉鎖）させる。また、上記小当たりでの第１の特別遊技の場合には、第１特別遊技実行手段２４９は、開閉制御手段２７０に第２大入賞口１４の開閉制御を行わせる。このとき、開閉制御手段２７０は、第２大入賞装置２８の第２大入賞口ソレノイド１３５に開放作動信号（もしくは、閉鎖作動信号）を出力し、第２大入賞口１４を開放（もしくは、閉鎖）させる。
【００７６】
第２特別遊技実行手段２５０は、第２作動条件が成立すると、第２の特別遊技を実行する。第２の特別遊技では、小当たりでの第１の特別遊技によって第２大入賞口１４から入賞した遊技球が、回転体６１の入球口６１ａ又は６１ｅに入球することを契機として、第１大入賞口１６ａの開閉動作が複数回にわたって継続される遊技（遊技者に有利な状態）となる。第２の特別遊技に移行すると、遊技者は、第１の特別遊技と同様、特別遊技が行われていることを容易に認識することができると共に、相当数の賞球を期待することができる。
【００７７】
なお、回転体６１の入球口６１ａ，６１ｅに入球した際には、それぞれに設けられている遊技球検知センサ６５によってその旨が検知される。開閉制御手段２７０は、第２の特別遊技の間、第１大入賞口１６ａを開閉する第１大入賞口ソレノイド２６に開放作動信号（もしくは、閉鎖作動信号）を出力し、第１大入賞口１６ａを開放（もしくは、閉鎖）させる。また、第２特別遊技実行手段２５０は、表示位置検出手段２３３が検出する遊技球の位置に基づき、該遊技球と連係するように画像表示装置１２に図柄７８（図４参照）を演出表示させる。なお、第２特別遊技実行手段２５０は、遊技中、常に駆動モータ１３８を駆動制御しており、略々同様の速度となるように回転体６１を回転させている。
【００７８】
特別遊技制御手段２４０における作動回避手段２５２は、第１作動条件及び第２作動条件のいずれか一方の作動条件が成立したとき、他方の作動条件の成立を回避させる機能を有する。本実施形態において、第２作動条件が成立すると、第２の特別遊技が続く限り第２作動条件が成立しているものとする。これにより、第２作動条件の成立中の間は、第１作動条件の成立が回避される。一方、第１作動条件の成立中は、第２作動条件の成立が回避されるので、第２の特別遊技は実行されない。
【００７９】
特定遊技制御手段２６０は、第１の特別遊技とは異なる遊技者に有利な特定遊技、例えば確率変動遊技の実行を制御する。本実施形態において、大当たり抽選は、抽選手段２１２による特別図柄抽選（第１の抽選）を指すものであり、この際の図柄抽選に対して確率変動遊技が設定可能とされる。
【００８０】
特定遊技制御手段２６０は、特定遊技実行手段２６２を有している。特定遊技実行手段２６２は、抽選手段２１２による抽選結果に基づいて、特別図柄の確率変動遊技を実行する。例えば、特別図柄（大当たり）の停止図柄が奇数であるときに、特別遊技の終了後、特別図柄の確率変動遊技が実行される。なお、特別図柄の確率変動遊技における当たりの割合は、通常遊技のときよりも高く設定される。
【００８１】
開閉制御手段２７０は、上述したように、第１大入賞口１６ａを開放又は閉鎖させ、或いは、開閉部材５５を回動させて第２大入賞口１４を開放又は閉鎖させる制御を行う。記憶手段２７１は、表示位置検出手段２３３が検出した遊技球の位置を記憶し、この記憶した位置を第１特別遊技実行手段２４９が図柄７８を演出表示させる際に参照させる。
【００８２】
以上の構成を有するパチンコ機ＰＭにおいては、開閉部材５５により第２大入賞口１４が開放されたときに第２の抽選を行うことが可能となり、抽選手段２１２を用いた第１の遊技（抽選）と、第２大入賞装置２８を用いた第２の遊技（抽選）とをそれぞれ独立して行う。従って、２種類の遊技を効果的に組み合わせ、それぞれの遊技性を十分に発揮させることができ、遊技性の向上を図ることが可能になる。
【００８３】
そして、このような構成を有するパチンコ機ＰＭは、図１に示すように、前枠２、ガラス扉５及び球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲーム（弾球遊技）が展開される。
【００８４】
遊技領域ＰＡに打ち出された遊技球が始動入賞装置１３に入賞すると、抽選手段２１２により所定の抽選ソフトウエアを利用した特別図柄抽選（第１の抽選）が行われ、画像表示装置１２において特別図柄及び装飾図柄が所定時間だけ変動表示される。変動停止時の特別図柄が「大当たり」を示す図柄であった場合には、特別遊技に移行する。特別図柄が大当たりの図柄で停止するとき、画像表示装置１２の表示面１２ａには、３つの図柄を一致させるような表示態様（例えば「７７７」）が表示される。また、変動停止時の特別図柄が「小当たり」を示す図柄であった場合には、画像表示装置１２の表示面１２ａには、例えば「７７６」といった予め定められた態様が表示される。
【００８５】
第１の特別遊技における大当たりが当選した際は、第１大入賞装置１６の作動により第１大入賞口１６ａが開放される。そして、第１大入賞口１６ａが約３０秒間開放された後、または９球以上の遊技球が第１大入賞口１６ａを通過して第１大入賞装置１６に入賞した後、第１大入賞口１６ａが一旦閉鎖され、このような開閉動作が所定回数継続して繰り返される。
【００８６】
なお、遊技球がセンター飾り１００のワープ導入口４２を介して放出口４３からステージＳに放出された際には、遊技球がステージＳの上を一時的に停留するように左右へ転動し、最終的にはステージＳの凹部２９ａ，２９ｂのいずれかから始動入賞装置１３に向けて落下する。
【００８７】
一方、第１の特別遊技における小当たりが当選した際は、第２大入賞装置２８の作動により第２大入賞口１４が開閉動作される。これは、第２大入賞口１４における開閉部材５５が、第２大入賞口ソレノイド１３５によって約２秒間の開放状態を３回繰り返すものである。
【００８８】
上記第２大入賞口１４に入賞され、入賞検出センサ１２３で検出された遊技球は、例えば１回の開放状態につき落下口４６から１個だけ放出され、その他の遊技球は不図示の排出口から遊技盤１０の背面側へと排出される。該落下口４６から放出された遊技球は、そのときの振分けプレート４１の傾き状態に応じて落下演出装置４４，４５のいずれかに向かって転がり移動する。落下演出装置４４に移動した遊技球は、導入口４４ｂから導入されて螺旋部材６２に沿って流下し、波形誘導板部４７ｂが下降したタイミングで落下した際は該波形誘導板部４７ｂの昇降動作で次第に回転体６１へと移動させられる。また、波形誘導板部４７ｂが上昇したタイミングで落下した際は、遊技球誘導装置４７に乗ることができずに遊技盤１０の背面側へと排出される。なお、開閉部材５５は、約２秒間の開放状態を３回繰り返すとして説明したが、１回の開放状態で遊技球が約２個入球する程度であれば開放する時間は特に限定されるものではなく、また、その開放状態を発生させる回数も特に限定するものではない。
【００８９】
一方、落下演出装置４５に移動した遊技球は、導入口４５ｃから導入されて螺旋部材６３に沿って流下して放出口４５ｂから放出される。その際、回転軸５９を中心として時計回り方向にゆっくりと回動している回転体６１の入球口６１ａや入球口６１ｅが放出口４５ｂに接近するタイミングで落下すると、当該Ｖ入球を契機として第２作動条件が設定されて第２条件保持手段２４４による第２の特別遊技が実行されることになる。放出口４５ｂから放出されて、上記入球口６１ａ，６１ｅ、或いは他の入球口６１ｂ，６１ｃ，６１ｄ，６１ｆ，６１ｇ，６１ｈに入球した遊技球は、遊技球検知センサ６５で検知された後、遊技盤１０の背面側へと排出される。
【００９０】
そして、上述したように、第１の特別遊技における小当たり当選に伴って第２大入賞口１４に入賞した遊技球Ｂａが落下口４６から移動領域に放出される場合、入賞検出センサ１２３による遊技球検出が契機となって、画像表示装置１２の表示面１２ａに、表示制御実行手段２３１により、遊技球誘導装置４７の作動で回転体６１側に移動する遊技球に追随して移動するように図柄７８が表示され始める。
【００９１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９２】
【図１】本発明に係るパチンコ機の外部構造を示す正面図である。
【図２】本パチンコ機の背面構造を示す背面図である。
【図３】遊技制御装置の概要を示すブロック図である。
【図４】センター飾りの全体を示す正面図である。
【図５】センター飾りの前枠部を取り外した状態で示す正面図である。
【図６】センサ装置を有する遊技球連動演出装置を分解して示す概略図である。
【図７】図６のＡ−Ａ矢視断面図である。
【図８】センサ装置及び間隔設定機構を示す図で、（ａ）はセンサ装置の一部拡大断面図、（ｂ）は間隔設定機構の一部拡大断面図である。
【符号の説明】
【００９３】
９    仕切り板（透明仕切りプレート）
１０    遊技盤
１１    開口部
１２    表示装置（画像表示装置）
７０    透明部材（透明プレート）
７２    基板（センサ基板）
７２ｅ    中空部分（開口）
７２ｆ    貫通孔
７３    センサ（発光素子）
７４    センサ（受光素子）
７５    遊技球位置検出装置（センサ装置）
７７    カバー部材（センサカバー）
８０    間隔設定機構（アジャスタ）
８１    装着部、リング状部材（内歯付ワッシャ）
８１ａ    爪部
８２    突出部材（ピン状部材）
８２ａ    台座部
８２ｂ    棒状部
８２ｃ    凹部
１００    センター役物（センター飾り）
Ｂａ    遊技球
Ｍａ    遊技球移動空間（空間）
ｄ１    間隔
【図１】
2009201706.tif 000003
【図２】
2009201706.tif 000004
【図３】
2009201706.tif 000005
【図４】
2009201706.tif 000006
【図５】
2009201706.tif 000007
【図６】
2009201706.tif 000008
【図７】
2009201706.tif 000009
【図８】
2009201706.tif 000010